(57)【特許請求の範囲】
【請求項１】
キーに電磁波を照射することにより、このキーに記録された特定情報を呼び出せる様に構成したＩＤキー（ＩＤカード）、赤外線キー、超音波キー等の無線キーと、前記無線キーから受信した情報が、所定の特定情報と同一か否かを判別する特定情報同定手段と、前記特定情報同定手段から同定信号を入力されて、錠前を構成する施錠用ロック部材を、施錠位置又は開錠位置に交互に変位させる電動式の錠前作動手段と、前記錠前作動手段の作動を制御する作動制御部と、施錠・開錠のいずれの作動状態にあるかを表示する作動状態表示手段と、作動用電源電池及び該電源電池からの給電断続用の電源スイッチを前記同定信号に基づいてオン作動させ、所定時間経過後にオフ作動させる電源断続回路と、を具備する施錠機構を備え、前記施錠機構には、施錠されたままで、電動式の施錠機構が作動不調になった時の為の機械的開錠手段が付設されていることを特徴とする非接触作動式の施錠機構を備えた鞄。
【発明の詳細な説明】
【０００１】
【発明の属する技術分野】
本発明は、従来の挿込式のキーに代えて、ＩＤカード（ＩＤキー）等の、電磁波信号を利用してキーの種類を判別出来る、無線キーを用いることによって、施錠・開錠操作を極めて簡単・迅速に行える様にした、非接触作動式の施錠機構を備えた鞄に関する。
【０００２】
【従来の技術】
旅行鞄等の鞄類に取付けられている、従来の錠前は、施錠・開錠する都度、キー穴にキーを挿し込んで廻すことにって、錠前のロック部材を係・脱位置に変位させるか、或いは、キー操作に代えて、施錠機構を構成する回転部材又はスライド部材を操作して、刻印された数字を合わせることにより、施錠・開錠出来る様に構成されている。
【０００３】
【発明が解決しようとする課題】
然しながら、キーをキー穴に挿し込で廻す操作は、家電製品のリモコン操作に慣れ親しんでいる現代人にとっては、いささか面倒である。
この面倒さは、年を追う毎に増えつつある高齢者や、肢体不自由者にとっては、尚更である。
そして、挿し込んだキーの抜き取りを忘れることも、決して稀ではない。
又、ダイヤルの数字を合わせる方式は、操作の煩わしさもさることながら、合わせるべき数字を忘れ勝ちなのも大いに問題である。
【０００４】
そこで、本発明の目的は、キー挿込式や、ダイヤル操作式の従来の錠前の、上述の如き欠点を解消させるべく、昨今、例えば、重要な部屋の出入口等に広く採り入れられている、ＩＤ（個人証明）カード乃至はＩＤキー等の無線キーを活用した、非接触作動式の施錠機構を備えた鞄を提供するにある。
【０００５】
【課題を解決するための手段】
上記の目的を達成するため、本発明では、請求項１に記載するように、キーに電磁波を照射することにより、このキーに記録された特定情報を呼び出せる様に構成したＩＤキー（ＩＤカード）、赤外線キー、超音波キー等の無線キーと、無線キーから受信した情報が、所定の特定情報と同一か否かを判別する特定情報同定手段と、特定情報同定手段から同定信号を入力されて、錠前を構成する施錠用ロック部材を、施錠位置又は開錠位置に交互に変位させる電動式の錠前作動手段と、錠前作動手段の作動を制御する作動制御部と、施錠・開錠のいずれの作動状態にあるかを表示する作動状態表示手段と、作動用電源電池及び該電源電池からの給電断続用の電源スイッチを同定信号に基づいてオン作動させ、所定時間経過後にオフ作動させる電源断続回路と、を具備する施錠機構を備え、施錠機構には、施錠されたままで、電動式の施錠機構が作動不調になった時の為の機械的開錠手段が付設されていることを特徴とする。
【０００６】
【発明の実施の形態】
以下に、本発明の一実施例に就いて、図１〜図９を参照しながら説明する。
本発明による鞄の特長部分である、非接触作動式の施錠機構は、本発明に言う“無線キー”として、周知のＩＤカード（ＩＤキー）を用いている。
そして、このＩＤカードを施錠機構に近づけるだけで、ＩＤカードに記憶された特定情報の確認、施錠機構の作動電源の投入、施錠又は開錠作動、作動状態の表示、そして、作動完了後の電源オフの一連の動作が、逐次自動的に行われる様に構成されている。
【０００７】
図１に、この実施例の施錠機構Ａを、鞄（スーツケース等）に取付けた状態を、要部の縦断面図として示した。
図中のＢ１は、鞄の身側の側壁、Ｂ２は、蓋側の側壁である。Ｃは鞄のハンドルで、ハンドルベース１０に跨がる様に組付けられている。
そして、ハンドルベース１０の左右の側端には、側壁Ｂ１の側端近くに迄達する長さの、蓋ロック機構Ｄを夫々連設している。
【０００８】
図１に示した様に、施錠機構Ａは、ボックス状のハンドルベース１０内と、その底壁面の下側に連設した駆動部ケース２０内とに跨がって組付けられている。
図中のＥは、施錠機構Ａを作動させる電源電池である。
【０００９】
ハンドルベース１０内には、施錠機構Ａに近付けたＩＤカードからのＩＤ情報が、所定の情報と同一か否かを判別する特定情報同定手段としての、アンテナ基板Ｆを収めている。
又、施錠したままで、電源電池Ｅが消耗する等して、施錠機構Ａが不調を来した時に使用する為の、機械的開錠（及び施錠）手段Ｇも組付けている。
【００１０】
この実施例の蓋ロック機構Ｄは、周知の構造のものなので、その構成を概略的に説明すると、ハンドルベース１０の両側端から延びて側壁Ｂ１の末端近くに達する長さのフレーム１を、側壁Ｂ１に取付けている。
このフレーム１には、蓋閉じ用のロックバー２を、フレーム１に沿って左右（図中で、以後同様）動可能に組付けている。尚、ロックバー２は、組立等の便宜上、その長手方向に複数部分に分割されている。
【００１１】
ロックバー２の先端部（側壁Ｂ１の両端側）には、蓋側の側壁Ｂ２に設けた掛止孔３の孔縁部に係合させる為の、掛止爪４を設けている。
ロックバー２の基端側は、ハンドルベース１０の内空部に迄延びている。
ロックバー２は、常時は、バネ５によって先端方向に前進付勢されることにより、掛止爪４が掛止孔３に係合して、蓋閉じ状態がロックされる。
６は、ロック解除用のプッシュボタンである。
【００１２】
図２，３及び図７，８に示した様に、左右１組の帯板状のロックバー２，２は、夫々の基端同士が、ハンドルベース１０内で、幾分かの間隙ａを隔てて対向する様に配設している。
そして、ロックバー２の基端部を、図６に示した様に、上向きに折曲することによってガイドレール２ａを形成させている。
【００１３】
このガイドレール２ａには、滑走子７を、このレールに沿って前後動し得る様に遊嵌させている。この遊嵌状態で、滑走子７の一部は、間隙ａに向けて幾分突出している（図６参照）。
滑走子７の、上記突出側と反対の側面には、図２〜図４に示した様に、ガイドプレート８を摺接させている。
更に、滑走子７の上面には、小溝７ａを、ガイドレール２ａに対して直交向きに向けて設けている（図６参照）。
【００１４】
又、ハンドルベース１０の底面には、図６〜図８に示した様に、左右のガイドレール２ａ，２ａに挟まれた間隙ａの箇所に於いて、駆動部ケース２０内に連通する２つの貫通孔９，９を、互いに前後方向にズラせた位置関係で設けている。
【００１５】
ハンドルベース１０内には、錠前を操作すべく、施錠機構Ａに近づけたＩＤカードのＩＤ情報（特定情報）が、所定の特定情報と同一か否かを判別する機能を備えたアンテナ基板（特定情報同定手段）Ｆを収めている（図１参照）。
【００１６】
その一例を図９に示した様に、アンテナ基板Ｆには、ＩＤ情報の読取用のアンテナ１１、読み取ったＩＤ情報が、所定のＩＤ情報と同一か否かを判別する為の判別回路、そして、施錠機構Ａが、施錠・開錠のいずれの作動状態にあるかを表示する為のＬＥＤ（作動状態表示手段）１２等が組付けられている。
【００１７】
駆動部ケース２０の内部には、図１に示した様に、左右１組のロックバー２，２の後退動を阻止して施錠状態に保つ役割を果たす、施錠用ロック部材２１と、この部材を、１組のガイドレール２ａ，２ａ間の間隙ａに向けて出・没させる錠前作動手段Ｈと、施錠機構Ａの作動を制御する制御基板Ｊ（作動制御部）と、施錠・開錠のいずれの状態にあるかを検知する作動状態検知部Ｋとが組込まれている。ｗは配線である。
【００１８】
施錠用ロック部材２１は、図５，図６に示した様に、水平向きの基板２１ａの、前縁側の右端と後縁側の左端との夫々に、突片状のストッパ２１ｂを上向きに延設した形態を備えている。
この施錠用ロック部材２１は、施錠時には押し上げられて、図４，図６に示した様に、そのストッパ２１ｂがハンドルベース１０の底面の貫通孔９を通過して間隙ａに突出し、開錠時には、図３に示した様に、駆動部ケース２０内に引っ込められる。
【００１９】
施錠用ロック部材２１の上記の作動を司る錠前作動手段Ｈは、その構成の模式的説明図としての、図３〜図６に示した様に、ブラケット２２に横向きに取付けた減速機付のモータ２３と、その出力軸２３ａに軸嵌した偏心回転カム２４とを備えている。
施錠用ロック部材２１は、偏心回転カム２４の上面に圧接させた状態で、ブラケット２２に組付けられている。
【００２０】
更に、図１に示した様に、モータ２３の出力軸２３ａの先端には回転板２５を軸嵌して、その回動位置を、回動位置センサ２６に検知させている。
この回転板２５と回動位置センサ２６とによって、錠前の作動状態検知部Ｋが構成されている。
【００２１】
駆動部ケース２０内に収めた制御基板Ｊには、アンテナ基板ＦからＩＤ情報の同定信号が入力されると、電源電池Ｅの電源スイッチを投入させ、投入後所定時間が経過するとこのスイッチをオフ作動させる、電源断続回路（図示略）が組込まれている。
そして、同定信号が入力される都度、偏心回転カム２４を所定角度づつ回動させる為の、モータ２３の作動制御回路が組込まれている。
【００２２】
次に、この実施例の機械的開錠手段Ｇの構造を、図２，３及び図６〜８を参照しながら説明する。
機械的開錠手段Ｇの本体は、小円柱状の開錠用部材３０で、図３に示した様に、間隙ａの直上箇所に於いて、その軸心周りに回動させられる様に、ハンドルベース１０に組付けられている。
【００２３】
開錠用部材３０の頂面には、図７に示した様に、この部材を手動操作で回動させる為の、所定の幅と深さの溝３０ａを設けている。
この溝３０ａに、ＩＤカドーの縁部等を挿し込めば、開錠用部材３０を廻すことが出来る。
【００２４】
開錠用部材３０の底面には、その直径線の両端箇所に、突起３０ｂを下向きに夫々突設している。
この１組の突起３０ｂ，３０ｂは、図７に示した様に、蓋ロック機構Ｄを構成する１組のロックバー２の各基端に設けたガイドレール２ａ上の滑走子７の小溝７ａに遊嵌させ得る配置で設けられている。
【００２５】
次に、施錠機構Ａの作用に就いて説明する。
施錠機構Ａは、従来のキーに代えて使用する、ＩＤカードに記録されたＩＤ情報が、施錠機構Ａに記憶させてあるＩＤ情報と一致しなければ、操作出来ない。
【００２６】
施錠・開錠の仕方は、手に持ったＩＤカード（図示略）を、施錠機構Ａに接近させると、ＩＤ情報の検知用のアンテナ１１を備えたアンテナ基板Ｆによって、基板に記憶されたＩＤ情報が、ＩＤカードのそれと一致するか否かが判断される。
【００２７】
両ＩＤ情報が同定されると、先ず、施錠機構Ａの第１作動段階として、この同定信号が、制御基板Ｊの電源断続回路に入力されて、電源電池Ｅの電源スイッチをオン作動させる。
すると、回動位置センサ２６が、施錠・開錠のいずれの状態にあるかを検知して、ＬＥＤ１２を、赤（施錠）又は緑（開錠）色に発光させる。その逆でもよい。
【００２８】
開錠状態では、偏心回転カム２４は、図３に示した回動位置にあり、施錠用ロック部材２１のストッパ２１ｂは、駆動部ケース２０内に引き込まれている。
【００２９】
錠前を施錠したい時に、上記の第１作動段階で、ＬＥＤ１２が緑色に発光すれば、鞄の錠前は施錠されていないので、ＩＤカードを施錠機構Ａに接近させたままに保つ。
すると、施錠機構Ａは第２作動段階に移行して、ＩＤ情報の同定信号が、制御基板Ｊの錠前操作回路（図示略）に入力される。
【００３０】
それに伴って、モータ２３が、偏心回転カム２４を１８０度回動させて、図３の位置から、図４〜図６に示した位置に変位させる。
その為、施錠用ロック部材２１が押上げられて、その１組のストッパ２１ｂ，２１ｂは、図６に示した様に、ハンドルベース１０の底面に設けた貫通孔９を通過して、間隙ａの箇所に突出する。
【００３１】
この突出した両ストッパ２１ｂ，２１ｂは、夫々ロックバー２の基端のガイドレール２ａに組付けた滑走子７の側面に当接した状態になる（図６参照）。
その為、常時は、バネ５により前進付勢されて蓋ロック位置を占めているロックバー２を、バネ５の付勢力に抗して後退動させることが出来なくなる。
即ち、施錠機構Ａは、施錠状態になる。施錠されたことは、ＬＥＤ１２の発光色が緑から赤に代わることによって確認出来る。
【００３２】
この施錠作動後、所定時間が経過すると、電源断続回路が備えるタイマー機能によって、電源電池Ｅの電源スイッチが自動的に切られて、電池の無駄な消耗が防がれる。
【００３３】
次に、施錠状態にある施錠機構Ａを、開錠作動させるには、施錠時と同様に、ＩＤカードを、施錠機構Ａに接近させる。
すると、先ず、電源スイッチが自動的に投入された後、モータ２３が作動して、偏心回転カム２４を、更に１８０度だけ回動させる。
【００３４】
それに伴って、偏心回転カム２４に押圧付勢されているストッパ２１ｂは、下降動して、貫通孔９の下方に引っ込む。
その為、鞄の蓋を開くべく、プッシュボタン６を押せば、ロックバー２を支障無く後退動させられる。つまり、施錠機構Ａは開錠状態となる。
【００３５】
次に、機械的開錠手段Ｇの作用に就いて、図６〜図８を参照しながら説明する。
電動式の施錠機構Ａは、施錠状態のままで、電源電池Ｅが消耗していたり、施錠機構Ａそのものが不調を来たしていることも皆無とは言えない。
【００３６】
その様な場合には、ハンドルベース１０の上面に露出している開錠用部材３０の頂面の溝３０ａに、ＩＤカードの縁部等を挿し込んで、開錠用部材３０を反時計廻り方向に回動させる。
開錠用部材３０の下面に突設した１組の突起３０ｂの夫々は、図７に示した様に、１組の滑走子７の夫々の小溝７ａに遊嵌されているので、開錠用部材３０の回動操作に伴って、１組の滑走子７は、図８に示した様に、ガイドレール２ａに沿って互いに逆方向に移動される。
【００３７】
この移動によって、両滑走子７は、施錠用ロック部材２１のストッパ２１ｂに当接した状態から開放される（図８参照）。
従って、ストッパ２１ｂが、間隙ａの領域に突出しているにも拘わらず、プッシュボタン６を押せば、両ロックバー２は支障無く後退させられて、蓋のロック状態を解くことが出来る。
【００３８】
尚、施錠機構Ａを施錠・開錠するのに必要な“無線キー”は、上記のＩＤカード（ＩＤキー）に限られない。
即ち、キーに、電波、赤外線、超音波等の各種の電磁波を照射することによって、このキーに記録された特定情報（ＩＤ情報）を呼び出せる様に構成されていれば足りる。
そして、キーの形態は、勿論カード形である必要はない。
【００３９】
又、錠前作動手段Ｈ、機械的開錠手段Ｇ等の具体的な構造は、上記実施例に限らず、周知の各種の機械要素の組合わせ方を変えることによって、様々に設計変更が可能である。
【００４０】
【発明の効果】
以上の説明によって明らかな様に、本発明による非接触作動式の施錠機構を備えた鞄は、施錠・開錠の都度、錠前のキー孔にキーを挿し込んで廻したり、ダイヤルの数字合わせをする等の、甚だ面倒な操作を要する従来の鞄に比べて、以下に列挙した如き実用上の優れた効果が得られる
（１）従来の挿込式のキーに代わる、ＩＤカード等の無線キーを施錠機構に近づけるだけで、施錠又は開錠出来て、その操作が極めて簡便である。
（２）施錠機構の電源電池は、ＩＤカードを近付けるだけで自動的に投入出来る。
（３）然も、施錠機構の施錠・開錠作動が終わると、電源が自動的に切られるので、電池の無駄な消耗を防げる。
（４）キー孔にキーを挿し込む操作が不要なので、肢体障害者や高齢者でも極めて容易に施錠・開錠出来る。
（５） 施錠状態で電池が消耗する等していても、付設の、簡単な構造の機械的開錠手段によって容易に開錠（施錠）出来る。
（６）ＩＤカード等の無線キーは、機械的に作動させるキーとは異なって、その種類を容易に、殆ど無限に増やせる。
【図面の簡単な説明】
【図１】本発明の一実施例を示すもので、施錠機構を組付けた鞄の要部の縦断面図である。
【図２】同上、ハンドルベースの内部構造に就いて、その要部を示した平面図である。
【図３】同上、施錠機構の全体構成を、開錠状態で示した模式的縦断面図である。
【図４】同上、施錠機構の全体構成を、施錠状態で示した模式的縦断面図である。
【図５】同上、施錠用ロック部材と、その駆動機構（錠前作動手段）を示した部分斜視図である。
【図６】同上、施錠用ロック部材が、左右一組のロックバーの夫々の後退動を阻止した状態（施錠状態）を示す部分斜視図である。
【図７】同上、機械的開錠手段の構成を示した部分斜視図である。
【図８】同上、機械的開錠手段の作動説明図である。
【図９】同上、アンテナ基盤の一例を示した平面図である。
【符号の説明】
Ａ  施錠機構
Ｂ１  鞄の身側の側壁
Ｂ２  鞄の蓋側の側壁
Ｃ  ハンドル
Ｄ  蓋ロック機構
Ｅ  電源電池
Ｆ  アンテナ基板（特定情報同定手段）
Ｇ  機械的開錠手段
Ｈ  錠前作動手段
Ｊ  制御基板（作動制御部）
Ｋ  作動状態検知部
１  フレーム
２  ロックバー
２ａ  ガイドレール
３  掛止孔
４  掛止爪
５  バネ
６  プッシュボタン
７  滑走子
７ａ  子溝
８  ガイドプレート
９  貫通孔
１０  ハンドルベース
１１  アンテナ
１２  ＬＥＤ（作動状態表示手段）
２０  駆動部ケース
２１  施錠用ロック部材
２１ａ  基板
２１ｂ  ストッパ
２２  ブラケット
２３  モータ
２３ａ  出力軸
２４  偏心回転カム
２５  回転板
２６  回転位置センサ
３０  開錠用部材
３０ａ  溝
３０ｂ  突起
ａ  間隙
ｗ  配線
【図１】
0004582901.tif 000002
【図２】
0004582901.tif 000003
【図３】
0004582901.tif 000004
【図４】
0004582901.tif 000005
【図５】
0004582901.tif 000006
【図６】
0004582901.tif 000007
【図７】
0004582901.tif 000008
【図８】
0004582901.tif 000009
【図９】
0004582901.tif 000010